(57)【要約】【解決手段】  たて糸５とよこ糸６とを織成してなるベルト状織物であって、当該ベルト状織物の両側縁に沿って、たて糸５を有しない駆動部分３が形成されている。また前記駆動部３に隣接する部分の縁部たて糸５ａとして、天然又は合成繊維の紡績糸と、低融点繊維とを混合した糸条を使用し、前記低融点繊維が熱により溶融されているものとするのが好ましい。【効果】  織物製ベルトであって織成により容易に製造することができると共に、前記駆動部分がプーリーと常に適切に係合し、外力によりその駆動部分が変形して係合関係が損なわれることがない。【選択図】          図１
2005089034.tif 000002
【特許請求の範囲】
【請求項１】
たて糸（５）とよこ糸（６）とを織成してなるベルト状織物であって、当該ベルト状織物の両側縁に沿って、たて糸（５）を有しない駆動部（３）が形成されていることを特徴とする、搬送用ベルト
【請求項２】
前記よこ糸（６）が、合成繊維のモノフィラメント糸よりなることを特徴とする、請求項１に記載の搬送用ベルト
【請求項３】
前記駆動部（３）に隣接する部分の縁部たて糸（５ａ）が、天然又は合成繊維の紡績糸と、低融点繊維とを混合した糸条であって、前記低融点繊維が熱により溶融されていることを特徴とする、請求項１又は２に記載の搬送用ベルト
【請求項４】
両端を接続して環状に形成されていることを特徴とする、請求項１、２又は３に記載の搬送用ベルト
【発明の詳細な説明】
【技術分野】
【０００１】
本発明は搬送用ベルトに関するものであって、特に物品の自動販売機その他の機器類の内部において、小型軽量の物品を小距離搬送するのに適した、搬送用ベルトに関するものである。
【背景技術】
【０００２】
この種の搬送用ベルトとしては、合成樹脂又は金属薄板製のベルトに所定間隔ごとに小孔を穿設し、その小孔にプーリーの小突起を係合して駆動するものが知られているが、小孔に繰り返し荷重がかかると裂けやすく、また裂けないように強度を高めればベルトの屈曲性に劣るものとなる。
【０００３】
またこのような構造を織物ベルトに適用したものとして、特開平６−１７４０１５号に記載されたものが知られている。このものは、織布の長さ方向に間歇的に、たて糸及びよこ糸を押しのけた状態の係合孔を形成したものである。
【０００４】
しかしこのものは、一旦均一に織成されたベルト状織物に、先の尖ったピンなどを突き刺してたて糸及びよこ糸を押しのけて係合孔を形成するので、係合孔を形成する工程が複雑であると共に、ピンを突き刺す際に糸が傷付く恐れがある。
【０００５】
また係合孔を形成した状態において、係合孔の近傍の糸と係合孔から離れた糸との経路長が大きく異ることとなり、織物が歪んだものとなる。また長さ方向に引っ張り力がかかると、押しのけられていたたて糸が真っ直ぐになろうとするため、係合孔が塞がってしまう可能性もある。
【特許文献１】特開平６−１７４０１５号
【発明の開示】
【発明が解決しようとする課題】
【０００６】
本発明はかかる事情に鑑みなされたものであって、織物製ベルトであって、織成により容易に製造することができると共に、係合孔部分が変形することなく、常にプーリーと適切に係合し得る搬送用ベルトを提供することを目的とするものである。
【課題を解決するための手段】
【０００７】
而して本発明は、たて糸とよこ糸とを織成してなるベルト状織物であって、当該ベルト状織物の両側縁に沿って、たて糸を有しない駆動部分が形成されていることを特徴とするものである。本発明の搬送用ベルトは、両端を接続して環状に形成したものとすることができる。
【０００８】
本発明においては、前記よこ糸としては、合成繊維のモノフィラメント糸を使用するのが好ましい。また前記駆動部に隣接する部分の縁部たて糸として、天然又は合成繊維の紡績糸と、低融点繊維とを混合した糸条を使用し、前記低融点繊維が熱により溶融されているものとするのが好ましい。
【発明の効果】
【０００９】
本発明の搬送用ベルトは、織物製ベルトであって織成により容易に製造することができると共に、前記駆動部分がプーリーと常に適切に係合し、外力によりその駆動部分が変形することがない。
【発明を実施するための最良の形態】
【００１０】
以下本発明の実施の形態を図面に従って説明する。図１は本発明の搬送用ベルト１を示すものであって、この搬送用ベルト１はベルト状の織物よりなっており、その中央部には搬送用ベルト１の主要部である搬送部２が形成され、当該搬送部２の両側部に駆動部３が形成され、さらにその駆動部３の外側部には、搬送用ベルト１の側縁をなす耳部４が形成されている。
【００１１】
図２は前記搬送用ベルト１の一部を拡大して示したものであって、この搬送用ベルト１を構成するベルト状織物は、たて糸５とよこ糸６とをベルト状に織成して形成されている。図面では織り組織は平織りであるが、これに限定されるものではなく、綾織りなどの織り組織であっても差し支えない。
【００１２】
そして本発明においては、前記搬送部２及び耳部４においては、前記たて糸５とよこ糸６とで織成された織物構造を有しているが、駆動部３においては、前記よこ糸６のみが長く連続しており、たて糸５はない。
【００１３】
すなわち本発明においては、前記搬送部２に搬送すべき物品を載置し、前記駆動部３が前記従来例における係合孔と同様の機能を有し、この駆動部３におけるよこ糸６の間にプーリーの小突起が係合して駆動することにより、搬送用ベルト１が所定の経路に沿って移動し、載置した物品を搬送するのである。
【００１４】
搬送用ベルト１の耳部４は本発明において必ずしも必要な部分ではないが、耳部４においてよこ糸６をたて糸５と織成することにより、駆動部３におけるよこ糸６を拘束してほゞ平行にならんだ状態に保持し、プーリーによる駆動力を適確に搬送用ベルト１に伝達することができる。
【００１５】
本発明においては、前記よこ糸６として比較的剛直なモノフィラメント糸を使用するのが好ましい。紡績糸やマルチフィラメント糸は柔軟に過ぎ、たて糸５と織成されていない駆動部３においてその形状を維持できず、プーリーの小突起に絡んだり適切に駆動力を伝達できない可能性がある。
【００１６】
なおよこ糸６は、モノフィラメント糸のみよりなるものであることは必要ではなく、例えばモノフィラメント糸に紡績糸やマルチフィラメント糸を巻回した糸条などを使用することは可能である。
【００１７】
たて糸５の素材は特に限定されることはなく、紡績糸やマルチフィラメント糸、捲縮加工糸などを使用することができるが、柔軟であって毛羽立ちを生じにくい合成繊維のマルチフィラメント糸を使用するのが好ましい。
【００１８】
なおたて糸５のうち、前記駆動部３に隣接する部分の縁部たて糸５ａとしては、天然又は合成繊維の紡績糸と、低融点繊維とを混合した糸条を使用し、前記低融点繊維が熱により溶融されているものとするのが好ましい。
【００１９】
本発明の搬送用ベルト１においては、駆動部３においてたて糸５が織り込まれていないため、それに隣接するたて糸５は目ずれを生じて駆動部３の方に移動しやすい。特によこ糸６としてモノフィラメント糸を使用した場合には、モノフィラメント糸は滑りやすいためにより目ずれを生じやすい。
【００２０】
そのため駆動部３に隣接する縁部たて糸５ａとして、摩擦抵抗の大きい紡績糸を使用することにより織成時の目ずれを抑制すると共に、当該紡績糸に低融点繊維を混合し、織成後にアイロンなどにより加熱して低融点繊維を溶融させることにより、縁部たて糸５ａをよこ糸６に固定するのが好ましいのである。
【００２１】
縁部たて糸５ａが紡績糸のみよりなるものでは、使用中の目ずれを阻止することが困難であり、また縁部たて糸５ａの全てを低融点繊維で構成した場合には、その低融点繊維の溶融により駆動部３に隣接した部分が極端に固くなり、好ましくない。従って紡績糸と低融点繊維とを混合して使用するのが好ましいのである。
【００２２】
紡績糸と低融点繊維の混合の態様としては、紡績糸中に低融点繊維を混紡した混紡糸を使用することもでき、また通常の紡績糸と低融点繊維よりなる糸とを撚り合わせてなる糸条を使用することもできる。
【００２３】
本発明の搬送用ベルト１は、その使用の態様に応じた形態とすることができるが、多くの場合環状のベルトをプーリー間に掛け渡して使用されるので、両端を接続した環状のものとすることができる。この場合、長尺の搬送用ベルト１を所定の長さに切断してその両端を接続して環状としてもよく、また搬送用ベルト１の幅方向に連続した袋織りにより織成し、それを所定の幅に輪切りにすることにより、シームレスの環状の搬送用ベルト１を製造することもできる。
【００２４】
図３及び図４は本発明の搬送用ベルト１の使用状態を示すものであって、環状の搬送用ベルト１が二つのプーリー７、７間に掛け渡されている。プーリー７、７の周面には係合用の小突起８が突設されており、当該小突起８が搬送用ベルト１の駆動部３のよこ糸６の間に係合し、プーリー７、７から当該搬送用ベルト１と駆動部３のよこ糸６とを介して、搬送用ベルト１に駆動力が伝達される。
【００２５】
本発明によれば、搬送用ベルト１は織物構造を有しており、通常の織物を織成する技術によって容易に製造することができ、プーリー７の小突起８に対する係合部を形成するための特別な工程を必要としない。
【００２６】
またその織物構造を構成するたて糸５及びよこ糸６は、搬送用ベルト１においてそれぞれ真っ直ぐに延びており、不自然に曲げられていることがないので、搬送用ベルト１はベルトとして歪みが生じることがなく、また引っ張り力により係合部分の形状が損なわれることがない。
【００２７】
さらに駆動部３においては、小さい間隔でよこ糸６が幅方向に平行に延びているので、どの位置にでもプーリー７の小突起８が係合することができ、駆動部３における小突起８との間隔の調整の必要がない。
【図面の簡単な説明】
【００２８】
【図１】本発明の搬送用ベルトの平面図
【図２】本発明の搬送用ベルトの一部を拡大して示した平面図
【図３】本発明の搬送用ベルトの使用状態を示す斜視図
【図４】本発明の搬送用ベルトの使用状態を示す側面図
【符号の説明】
【００２９】
１  搬送用ベルト        ２  搬送部
３  駆動部              ５  たて糸
５ａ  縁部たて糸        ６  よこ糸
【図１】
2005089034.tif 000003
【図２】
2005089034.tif 000004
【図３】
2005089034.tif 000005
【図４】
2005089034.tif 000006